(57)【要約】【課題】ストッパー装置を戸袋内に設けた構成としてストッパー装置の調整機構を操作する作業を開口部側から行えるようにした引戸装置を提供することを目的とする。【解決手段】開口部と、開口部を開閉可能に設けられた引戸４と、当該開口部の横に隣接するように設けられて引戸４が開口部を開閉する際に当該引戸が出入可能に構成された戸袋と、開口部を開放した開口部開状態に引戸４を停止させるためのストッパー４０と当該ストッパー４０の位置を調整するために開口部２からの操作を可能なように構成された調整機構６０とを有して戸袋内に設けられたストッパー装置１０と、引戸４に設けられてストッパー４０に係合することによって引戸４を開口部開状態に停止させるストッパー係合部９と、を備えた。【選択図】図４
2014148840.tif 000002
【特許請求の範囲】
【請求項１】
開口部と、
開口部を開閉可能に設けられた引戸と、
当該開口部の横に隣接するように設けられて引戸が開口部を開閉する際に当該引戸が出入可能に構成された戸袋と、
開口部を開放した開口部開状態に引戸を停止させるためのストッパーと当該ストッパーの位置を調整するために開口部からの操作を可能なように構成された調整機構とを有して戸袋内に設けられたストッパー装置と、
引戸に設けられてストッパーに係合することによって引戸を開口部開状態に停止させるストッパー係合部と、
を備えたことを特徴とする引戸装置。
【請求項２】
ストッパーは、一端部が調整機構に連結された板ばねにより形成され、
ストッパー係合部は、板ばねに係合するように形成されたことを特徴とする請求項１に記載の引戸装置。
【請求項３】
ストッパー装置は、引戸を左右方向にガイドするためのガイドレール部材における開口部と戸袋との境界位置よりも戸袋側の位置に取付けられたことを特徴とする請求項１又は請求項２に記載の引戸装置。
【発明の詳細な説明】
【技術分野】
【０００１】
本発明は、引戸を開口部開状態に停止させるストッパーを備えた引戸装置に関する。
【背景技術】
【０００２】
従来、引戸装置においては、引戸により開閉される開口部を開放した開口部開状態に引戸を停止させるためのストッパーと、当該ストッパーをガイドレールに取付けることができるとともにストッパーの位置を調整できる調整機構と、を有したストッパー装置を備えており、当該ストッパー装置を戸袋内に設けていた。当該引戸装置では、ストッパー装置の調整機構が戸袋内に位置しており、ストッパーの位置を調整するためのねじ等の調整部材が戸袋を形成する壁の壁面と直交する方向からしか操作できない構成となっているため、引戸の停止位置を調整する際には戸袋を形成する壁を解体してからストッパー装置の調整機構を操作することによってストッパーの位置を調整しなければならなかった。
そこで、ストッパーを戸袋内に位置させてかつ調整機構を開口部の上部側における戸袋の外に位置させた状態で当該調整機構をガイドレールに取付ける構成のストッパー装置を用い、開口部の上部側においてストッパー装置の調整機構を操作してストッパーの位置を調整できるようにした構成の引戸装置が知られている（例えば特許文献１等参照）。
【先行技術文献】
【特許文献】
【０００３】
【特許文献１】特許第３６７８９８７号公報
【発明の概要】
【発明が解決しようとする課題】
【０００４】
しかしながら、上述した引戸装置では、ストッパー装置の調整機構を戸袋外に設けてかつストッパーを戸袋内に設けた構成であるため、ガイドレールに取付けられたストッパー装置の調整機構とストッパーとの間のスパンが長くなる。このため、ストッパーに力が加わった場合に、調整機構の取付部を支点としてストッパー装置が片持梁状態となってストッパー装置がぐらつき易くなるといった懸念があった。
また、ストッパー装置の調整機構とストッパーとの間のスパンが長くなり、ストッパー装置が大型化するので、部品コストが高くなる懸念があった。
さらに、ストッパー装置の調整機構が開口部の上部側に位置されるため、調整機構が開口部から見えるようになるので、見栄えが悪くなる懸念もあった。
そこで、本発明では、ストッパー装置を戸袋内に設けた構成として上記懸念を解消できるとともにストッパー装置の調整機構を操作する作業を開口部側から行えるようにした引戸装置を提供することを目的とする。
【課題を解決するための手段】
【０００５】
本発明に係る引戸装置は、開口部と、開口部を開閉可能に設けられた引戸と、当該開口部の横に隣接するように設けられて引戸が開口部を開閉する際に当該引戸が出入可能に構成された戸袋と、開口部を開放した開口部開状態に引戸を停止させるためのストッパーと当該ストッパーの位置を調整するために開口部からの操作を可能なように構成された調整機構とを有して戸袋内に設けられたストッパー装置と、引戸に設けられてストッパーに係合することによって引戸を開口部開状態に停止させるストッパー係合部と、を備えたことを特徴とする。
ストッパーは、一端部が調整機構に連結された板ばねにより形成され、ストッパー係合部は、板ばねに係合するように形成されたことも特徴とする。
ストッパー装置は、引戸を左右方向にガイドするためのガイドレール部材における開口部と戸袋との境界位置よりも戸袋側の位置に取付けられたことも特徴とする。
【発明の効果】
【０００６】
本発明に係る引戸装置によれば、ストッパーの位置を調整するために開口部からの操作を可能なように構成された調整機構が戸袋内に設けられているので、ストッパー装置を小型化でき、ストッパーに力が加わった場合にストッパー装置がぐらつき難くなり、また、調整機構が開口部から見え難くなり、かつ、ストッパー装置の調整機構を操作する作業を開口部側から行えるようになって、ストッパーの位置を左右に調整するための調整作業を簡単に行える引戸装置を提供できる。
また、ストッパーは、一端部が調整機構に連結された板ばねにより形成され、ストッパー係合部は、板ばねに係合するように形成されたので、引戸を開口部開状態に停止させることができるとともに、引戸を簡単に開口部を閉じる方向に移動させることができる。
さらに、ストッパー装置は、ガイドレール部材における開口部と戸袋との境界位置よりも戸袋側の位置に取付けられたので、引戸を開口部開状態に維持できる。
【図面の簡単な説明】
【０００７】
【図１】引戸装置を示す斜視図。
【図２】引戸装置を示す分解斜視図。
【図３】（ａ）は開口部閉状態の引戸とストッパー装置との関係を示す図、（ｂ）は引戸がストッパーによって停止している開口部開状態を示す図。
【図４】ガイドレール部材とストッパー装置と引戸との関係を示す斜視図。
【図５】ストッパー装置を示す図であり、（ａ）は正面図、（ｂ）は左側面図、（ｃ）は底面図。
【発明を実施するための形態】
【０００８】
図１に示すように、引戸装置１は、開口部２と、戸袋３と、引戸４と、ガイド装置５と、引戸停止装置６とを備える。尚、本明細書において、「前」、「後」、「左」、「右」、「上」、「下」の方向は、図１；図４において図示した方向を言うものとする。
【０００９】
開口部２は、例えば建物への出入口や建物内の部屋への出入口等であり、開口部２の上，左，右の三方は壁で囲まれている。
戸袋３は、開口部２の左側又は右側のいずれかの壁に形成されており、開口部２と連通するように開口した引戸出入口３１と壁内の引戸引き込み空間３２とを有した構成である。即ち、戸袋３は、開口部２の横に隣接するように設けられて引戸４が開口部２を開閉する際に当該引戸４が引戸出入口３１を介して引戸引き込み空間３２に出入可能に構成されている。
戸袋３は、例えば、室内と室外とを仕切る間仕切り壁３３の室内側の壁面と室内側壁パネル３４の一方の面（壁外面）とが同一平面上に位置されるように当該室内壁パネル３４が間仕切り壁３３の壁下地に取付けられるとともに、間仕切り壁３３の室外側の壁面と室外側壁パネルの３５一方の面（壁外面）とが同一平面上に位置されるように当該室外壁パネル３５が間仕切り壁３３の壁下地に取付けられ、壁内に引戸出入口３１を介して開口部２と連通する引戸引き込み空間３２が、上記室内壁パネル３４の他方の面（壁内面）と上記室外壁パネル３５の他方の面（壁内面）との間に形成された空間によって形成された構成である。
引戸４は、開口部２を開閉可能で、かつ、開口部２を開閉する際に戸袋３の引戸出入口３１を介して引戸引き込み空間３２に出入可能に構成されている。
【００１０】
ガイド装置５は、ガイドレール部材５１と戸車５２とを備える。
当該ガイド装置５は、例えば引戸４を吊り上げた状態で左右方向にガイドする吊式ガイド装置である。
ガイドレール部材５１は、開口部２及び戸袋３の引戸引き込み空間３２に連続するように開口部２の上部及び引戸引き込み空間３２の上部に設けられている。
ガイドレール部材５１は、例えば縦片部５３と縦片部５３の下端より前方に延長する横片部５４とを備えた断面ほぼＬ字形状の長尺部材により形成された所謂ハンガーレールである。
図２；図４に示すように、ガイドレール部材５１の縦片部５３は、後述する溝レール部５５が設けられていない後面（一方の面）と室外側壁パネル３５又は室内側壁パネル３４（以下、総称して壁パネルという）の他方の面（壁内面）とが平行に向かい合って接触するように設置されて取付ねじ５６（図３参照）等の取付手段によって壁パネルの上部に取付けられるガイドレール部材５１の取付部を構成する。
尚、ガイドレール部材５１において開口部２の上部において壁パネルに取付けられている部分の前方には当該部分を覆い隠すカバー３６が設置され、当該カバー３６は例えば壁パネルに着脱可能に取付けられている。
縦片部５３が壁パネルに取付けられた状態において壁パネルの他方の面（壁内面）より延長して例えば水平面を形成する横片部５４の上面に戸車５２を案内するガイドレール５７が設けられる。
即ち、ガイドレール部材５１が開口部２及び戸袋に連続するように開口部の上部及び戸袋３の上部に位置される壁パネル（例えば図２に示す室外側壁パネル３５）の上部に取付けられることによって、ガイドレール５７が、開口部２及び戸袋３に連続するように開口部２の上部及び戸袋３の上部に設けられる。
戸車５２は、引戸４の上端面４ｔに取付部材５８を介して回転可能に設けられる（図４参照）。戸車５２は、引戸４の上端側の左右にそれぞれ設けられた戸先側戸車５２Ａと戸尻側戸車５２Ｂとを備える（図１参照）。
【００１１】
ガイドレール５７は、横片部５４の長手方向に沿って連続して延長するように横片部５４の上面に設けられた突起又は溝により形成される。
ガイドレール５７が突起により形成される場合、戸車５２の外周面が当該ガイドレール５７の突起に係合する周溝に形成され、ガイドレール５７が溝により形成される場合、戸車５２の外周縁が当該ガイドレール５７の溝に係合するように構成されることにより、戸車５２がガイドレール５７上を走行するガイド装置５が構成され、当該ガイド装置５により、引戸４が開口部２を開閉可能なように構成される。
【００１２】
図４に示すように、ガイドレール部材５１の縦片部５３は、前面（他方の面）の上部に、長手方向に延長する断面Ｃ字形状の溝レール部５５を備える。
溝レール部５５は、縦片部５３の上端縁より前方に延長する上延長片７１と、上延長片７１の前端より立下る立ち下がり係合片７２と、縦片部５３の中央部より前方に延長する下延長片７３と、下延長片７３の前端より立上る立ち上がり係合片７４と、上延長片７１と下延長片７３との間に位置する縦片部５３と、立ち下がり係合片片７２の下端縁と立ち上がり係合片７４の上端縁とが一定の間隔を隔てて互いに平行に相対峙することにより形成された横長開口部７５と、を備える。
【００１３】
引戸停止装置６は、ガイドレール部材５１の溝レール部５５に固定されたストッパー装置１０と、引戸４に設けられたストッパー係合部９とを備える。
【００１４】
図４に示すように、ストッパー装置１０は、溝レール部５５への取付装置２０と、ストッパー４０と、調整機構６０とを備える。
取付装置２０は、ベース板２１と、係合固定板２２と、固定ねじ２３とを備える。
ベース板２１は、横長開口部７５を跨いで立ち下がり係合片７２の前面（外面）と立ち上がり係合片７４の前面（外面）とに接触する面を有した板により形成される。
係合固定板２２は、溝レール部５５の長手方向の一端側から溝レール部５５の立ち下がり係合片７２及び立ち上がり係合片７４と縦片部５３との間の空間５９に挿入されて立ち下がり係合片７２における縦片部５３の面と向かい合う面（内面）及び立ち下がり係合片７４における縦片部５３の面と向かい合う面（内面）に接触し、ベース板２１とで溝レール部５５の立ち下がり係合片７２及び立ち上がり係合片７４を挟み付けることによって、ストッパー装置１０を溝レール部５５に固定するための部品である。
ベース板２１は固定ねじ２３を挿入するための図外の挿入孔を備え、係合固定板２２は固定ねじを螺入するための図外のねじ孔を備える。
そして、例えば固定ねじ２３をベース板２１の前面側から挿入孔及び溝レール部５５の横長開口部７５に通して係合固定板２２のねじ孔に螺着して固定ねじ２３を締め付けることによって係合固定板２２がベース板２１と近づく方向に移動して立ち下がり係合片７２及び立ち上がり係合片７４が係合固定板２２とベース板２１とで挟み込まれることにより、ベース板２１が溝レール部５５に固定され、ストッパー装置１０が溝レール部５５に固定されることになる。
【００１５】
図３に示すように、ストッパー装置１０は、取付装置２０によって、開口部２と戸袋３との境界位置Ｃよりも戸袋３側に位置されるガイドレール部材５１の溝レール部５５に取付けられる。
【００１６】
ストッパー４０は、例えば板ばねにより形成される。
調整機構６０は、工具ガイド板６１と、ストッパー４０が取付けられたストッパー取付部材６２と、ストッパー取付部材６２の位置を調整するための調整部６３とを備える。
工具ガイド板６１は、溝レール部５５に取付けられた状態のベース板２１の左端側縁より前方に突出する垂直面を有した平板に図外のドライバーのような工具を通過させる工具通孔６５が形成された構成である。
ストッパー取付部材６２は、ベース板２１の前面を左右方向に移動可能なように設けられる。
ストッパー取付部材６２は、例えば、ねじ部材保持部６７と平行に位置される平面を有した平板により構成されて上記ねじ孔６８が形成された基部８１と、基部８１の上端縁より右側に延長するように設けられた上水平板部８２と、基部８１の下端縁より右側に延長するように設けられて上水平板部と平行に対峙する下水平板部８３と、を備えた構成である。
調整部６３は、ねじ部材６６と、ねじ部材６６を取付けて保持するためのねじ部材保持部６７と、ストッパー取付部材６２に形成されてねじ部材６６のねじ部を螺入するためのねじ孔６８と、コイルばね６９と、を備える。
ねじ部材保持部６７は、ベース板２１の左側前面より前方に突出するように設けられて工具ガイド板６１と平行な面を有した平板にねじ部材６６のねじ部を通すねじ通孔８０が形成された構成である。
【００１７】
図５に示すように、ストッパー４０として機能する板ばねは、例えば長方形の金属板がＶ字形に形成されてベース板２１の下端縁２１ａよりも下方に位置され、Ｖ字の左端部４１が下水平板部８３に連結されてＶ字の右端部４２がベース板２１の下端縁２１ａと接触するように設けられ、Ｖ字の下端部４３に左右から力が加わることでＶ字の下端４４が上方に移動するように構成された板ばねである。
即ち、ストッパー４０は、一端部（Ｖ字の左端部４１）が調整機構に連結されたＶ字状の板ばねにより形成され、ストッパー係合部９は、ストッパー４０として機能する板ばねに係合するように形成されている。
板ばねのＶ字の右端部４２がベース板２１の下端縁２１ａと当接することで、ストッパー４０がストッパー係合部９に係合した際に、ストッパー４０として機能する板ばねの必要以上の変形を防止できる。
尚、板ばねのＶ字の右端部４２は、ベース板２１の下端縁２１ａに固定されていてもよい。
【００１８】
ストッパー係合部９は、引戸４の上部に設けられてストッパー４０に係合することによって引戸４を開口部開状態に停止させるものであり、例えば、戸先側戸車５２Ａを回転可能に取付けた取付部材５８に設けられてストッパー４０の係止部として機能する板ばねのＶ字の下端部４３に係止する例えば係止ピンにより形成される（図４参照）。
【００１９】
調整部６３の構成及び作用について説明する。ねじ部材６６のねじ部をねじ部材保持部６７の左側からねじ通孔８０に通してコイルばね６９のコイルの中心孔に挿入した後、ねじ部材６６のねじ部を基部８１のねじ孔６８に螺着する。コイルばね６９の弾性により、ねじ部材６６の頭部がねじ部材保持部６７に着座する。この状態で、開口部２側から戸袋３の引戸出入口３１及び工具通孔６５を経由してドライバーを挿入し、ドライバーの先端をねじ部材の頭部に形成された溝や穴等の操作部１００に挿入してねじ部材６６を一方方向に回すことによりストッパー取付部材６２をねじ部材保持部６７側に近付けることで板ばねのＶ字の下端部４３を左側に移動させることができ、逆に、ねじ部材６６を他方方向に回すことによりねじ部材保持部６７から離れるように板ばねのＶ字の下端部４３を右側に移動させることができる。これにより、引戸４に設けられたストッパー係合部９を係止する係止部として機能する板ばねのＶ字の下端部４３の位置を左右方向に調整可能となる。即ち、ストッパー係合部９が係止するストッパー４０の位置を左右に微調整できるようになる。
【００２０】
即ち、ストッパー装置１０は、開口部２を開放した開口部開状態に引戸４を停止させるためのストッパー４０と当該ストッパー４０の位置を調整するために開口部２からの操作を可能なように構成された調整機構６０とを有して戸袋３内に設けられる。
そして、ストッパー４０の位置を左右に調整するために、ねじ部材６６が戸袋３を形成する壁パネルの面に沿って左右方向に延長するように設置され、工具を係合してねじ部材６６を回してねじ部材６６を左右方向に移動させるためにねじ部材６６の頭部に設けられた溝や穴等の操作部１００を、開口部２から引戸出入口３１を介して戸袋３内に挿入する工具を用いて操作可能な調整機構６０を備えた。
よって、ストッパー装置１０が戸袋３内に設けられるために、ガイドレール部材５１に対するストッパー装置１０の取付装置２０による取付位置とストッパー４０とを近付けることができるので、ストッパー装置１０を小型化でき、ストッパー４０に力が加わった場合にストッパー装置１０がぐらつき難くなり、また、調整機構６０が開口部２から見え難くなり、かつ、ストッパー装置１０の調整機構６０を操作する作業を開口部２側から行えるようになって、ストッパー４０の位置を左右に調整するための調整作業を簡単に行える引戸装置１を得ることができる。
【００２１】
また、ストッパー４０は、Ｖ字の左端部４１が調整機構６０の下水平板部８３に連結されたＶ字状の板ばねにより形成され、ストッパー係合部９は、板ばねのＶ字の下端部４３に係合するように形成されているので、ストッパー係合部９が板ばねのＶ字の下端部４３に係合することで、引戸４を開口部開状態に停止させることができ、かつ、引戸４に力を加えるとストッパー係合部９がＶ字の下端４４を上方に移動させるように作動するので、引戸４を開口部２を閉じる方向に簡単に移動させることができる。
さらに、ストッパー装置１０は、ガイドレール部材５１における開口部２と戸袋３との境界位置Ｃよりも戸袋３側の位置に取付けられたので、引戸４を開口部開状態に維持できる。
【００２２】
尚、ガイド装置５として吊式ガイド装置を例示したが、ガイド装置が引戸の上部及び下部に設けられた構成の引戸装置であってもよい。
また、ストッパー装置１０は、戸袋３を形成する壁パネルに取付けられる構成の引戸装置であってもよい。
【符号の説明】
【００２３】
１  引戸装置、２  開口部、３  戸袋、４  引戸、９  ストッパー係合部、
１０  ストッパー装置、４０  ストッパー、６０  調整機構。
【図１】
2014148840.tif 000003
【図２】
2014148840.tif 000004
【図３】
2014148840.tif 000005
【図４】
2014148840.tif 000006
【図５】
2014148840.tif 000007